(57)【要約】【課題】販売管理部の設置スペースを小さくし、かつ、コストの低減を図りながら、複数種の販売方式ごとに商品販売数を計数して記憶すること。【解決手段】商品を販売する商品販売処理を実行する自動販売機制御部１と、その自動販売機制御部１からの商品販売情報に基づいて商品販売数を計数して記憶する商品販売数記憶処理を実行する販売管理部２とが設けられ、自動販売機制御部１は、複数種の販売方式を備えて、選択された販売方式にて商品販売処理を実行するように構成され、販売管理部２は、複数種の販売方式の夫々に対応する複数の計数記憶モードを備えて、自動販売機制御部１にて選択されている販売方式に対応する計数記憶モードを自動販売機制御部１からの販売方式情報に基づいて選択して、選択した計数記憶モードにて商品販売数記憶処理を実行するように構成されている。【選択図】　　　　図１
2004054747.tif 000002
【特許請求の範囲】
【請求項１】
商品を販売する商品販売処理を実行する自動販売機制御部と、その自動販売機制御部からの商品販売情報に基づいて商品販売数を計数して記憶する商品販売数記憶処理を実行する販売管理部とが設けられた自動販売機であって、
前記自動販売機制御部は、複数種の販売方式を備えて、選択された販売方式にて前記商品販売処理を実行するように構成され、
前記販売管理部は、前記複数種の販売方式の夫々に対応する複数の計数記憶モードを備えて、前記自動販売機制御部にて選択されている販売方式に対応する計数記憶モードを前記自動販売機制御部からの販売方式情報に基づいて選択して、選択した計数記憶モードにて前記商品販売数記憶処理を実行するように構成されている自動販売機。
【請求項２】
前記販売管理部は、記憶されている商品販売数を表示部に表示する表示処理を実行するように構成され、かつ、前記複数種の販売方式の夫々に対応する複数の表示モードを備えて、表示用の販売方式選択手段にて選択されている販売方式に対応する表示モードを選択して、選択した表示モードにて前記表示処理を実行するように構成されている請求項１に記載の自動販売機。
【発明の詳細な説明】
【０００１】
【発明の属する技術分野】
本発明は、商品を販売する商品販売処理を実行する自動販売機制御部と、その自動販売機制御部からの商品販売情報に基づいて商品販売数を計数して記憶する商品販売数記憶処理を実行する販売管理部とが設けられた自動販売機に関する。
【０００２】
【従来の技術】
上記のような自動販売機は、自動販売機制御部が、商品販売処理を実行するとともに、販売管理部に商品販売情報を通信し、販売管理部が、商品販売数記憶処理を実行することにより、商品を販売するとともに、その商品販売数を計数して記憶するものである。
そして、自動販売機制御部は、有料販売方式や無料販売方式などの複数種の販売方式を備えて、人為操作などにより選択された販売方式にて商品販売処理を実行するように構成されている。
また、販売管理部は、商品販売数記憶処理を実行するＣＰＵや商品販売数を記憶するメモリーなどからなる販売管理装置を、複数種の販売方式の夫々に対応して複数備えて構成されている。
すなわち、自動販売機制御部が、選択されている販売方式に対応する販売管理装置を選択して商品販売情報を通信し、選択された販売管理装置が商品販売数記憶処理を実行することにより、複数種の販売方式ごとに商品販売数を計数して記憶するように構成されている。
【０００３】
【発明が解決しようとする課題】
しかしながら、上記従来の自動販売機では、販売管理部が、複数種の販売方式の夫々に対応して複数の販売管理装置を備えているので、販売方式ごとに販売管理装置が必要となり、販売管理部の設置スペースが大きくなるとともに、コストアップを招くことになる。
【０００４】
本発明は、かかる点に着目してなされたものであり、その目的は、販売管理部の設置スペースを小さくし、かつ、コストの低減を図りながら、複数種の販売方式ごとに商品販売数を計数して記憶することが可能となる自動販売機を提供する点にある。
【０００５】
【課題を解決するための手段】
この目的を達成するために、請求項１に記載の発明によれば、商品を販売する商品販売処理を実行する自動販売機制御部と、その自動販売機制御部からの商品販売情報に基づいて商品販売数を計数して記憶する商品販売数記憶処理を実行する販売管理部とが設けられた自動販売機において、
前記自動販売機制御部は、複数種の販売方式を備えて、選択された販売方式にて前記商品販売処理を実行するように構成され、
前記販売管理部は、前記複数種の販売方式の夫々に対応する複数の計数記憶モードを備えて、前記自動販売機制御部にて選択されている販売方式に対応する計数記憶モードを前記自動販売機制御部からの販売方式情報に基づいて選択して、選択した計数記憶モードにて前記商品販売数記憶処理を実行するように構成されている。
【０００６】
すなわち、自動販売機制御部は、人為操作などにより選択された販売方式にて商品販売処理を実行することにより、複数種の販売方式のうち、ひとつの販売方式を選択するだけで、複数種の販売方式の夫々において、商品を販売することができることになる。
そして、自動販売機制御部は、選択された販売方式にて商品販売処理を実行するとともに、販売方式情報を販売管理装置に通信することにより、販売管理装置は、自動販売機制御部から通信されてくる販売方式情報に基づいて、複数の計数記憶モードのうち、自動販売機制御部にて選択されている販売方式に対応する計数記憶モードを選択して、その選択した計数記憶モードにて商品販売数記憶処理を実行できることになる。
【０００７】
したがって、販売管理部は、商品販売数記憶処理を実行するＣＰＵや商品販売数を記憶するメモリーなどからなる販売管理装置の数を、販売方式の種類数よりも少なくしても、自動販売機制御部から通信されてくる販売方式情報に基づいて選択された計数記憶モードにて商品販売数記憶処理を実行することにより、複数種の販売方式ごとに商品販売数を計数して記憶することができることになる。
【０００８】
以上のことから、請求項１に記載の発明によれば、販売管理部は、販売管理装置の数を、販売方式の種類数よりも少なくすることにより、販売管理部の設置スペースを小さくし、かつ、コストの低減を図ることができることとなって、販売管理部の設置スペースを小さくし、かつ、コストの低減を図りながら、複数種の販売方式ごとに商品販売数を計数して記憶することが可能となる自動販売機を提供できるに至った。
【０００９】
請求項２に記載の発明によれば、前記販売管理部は、記憶されている商品販売数を表示部に表示する表示処理を実行するように構成され、かつ、前記複数種の販売方式の夫々に対応する複数の表示モードを備えて、表示用の販売方式選択手段にて選択されている販売方式に対応する表示モードを選択して、選択した表示モードにて前記表示処理を実行するように構成されている。
【００１０】
すなわち、販売管理部は、表示用の販売方式選択手段にて選択されている販売方式に対応する表示モードを選択して、選択した表示モードにて表示処理を実行するので、表示用の販売方式選択手段にて販売方式を選択することにより、複数種の販売方式の夫々について商品販売数を表示部に表示することができることになる。
したがって、管理者は、表示用の販売方式選択手段にて販売方式を選択して表示部に表示される商品販売数を確認することにより、複数種の販売方式の夫々について商品販売数を把握することができることとなって、自動販売機の管理作業の簡素化を図ることができることになる。
【００１１】
【発明の実施の形態】
本発明にかかる自動販売機の実施の形態について図面に基づいて説明する。
この自動販売機は、図１に示すように、飲料などの商品の販売を制御する自動販売機制御部１と、その自動販売機制御部１から通信されてくる商品販売情報に基づいて商品販売数を管理する販売管理部としてのひとつの電子式の販売管理装置２とが設けられている。
ちなみに、自動販売機制御部１および販売管理装置２とも、自動販売機の内側に設けられ、販売管理装置２は、管理者などが自動販売機の扉を開けることにより、確認できる位置に配置されている。
【００１２】
この自動販売機は、価格の異なる複数種の商品を販売しており、自動販売機制御部１は、商品がひとつ販売されるごとに、商品販売数をひとつ加算するように信号線３を通して商品販売情報を販売管理装置２に通信するように構成されている。
そして、販売管理装置２は、自動販売機制御部１から通信されてくる商品販売情報に基づいて商品販売数を計数して記憶する商品販売数記憶処理を実行して、価格ごとの商品販売数および自動販売機全体のトータル商品販売数を計数して記憶するように構成されている。
【００１３】
前記自動販売機制御部１は、商品を販売する販売方式として、有料で商品を販売する有料販売方式と無料で商品を販売する無料販売方式とのふたつの販売方式を備えて、選択された販売方式にて商品を販売するとともに、選択された販売方式に対応する販売方式情報と商品販売情報を販売管理装置２に送信するように構成されている。
そして、販売管理装置２は、複数種の販売方式の夫々に対応する複数の計数記憶モードを備えて、自動販売機制御部１にて選択されている販売方式に対応する計数記憶モードを自動販売機制御部から通信されてくる販売方式情報に基づいて選択して、選択した計数記憶モードにて商品販売数記憶処理を実行するように構成されている。
【００１４】
説明を加えると、自動販売機制御部１は、販売方式選択スイッチ５がＯＦＦされて有料販売方式が選択されると、有料販売方式にて商品を販売するとともに、有料販売方式にて商品をひとつ販売すると、販売管理装置２への販売方式情報としてのＣＴＬ信号を「Ｌ」にした状態で、商品販売情報としてのＤＡＴＡ１〜４を販売管理装置２に送信する。
そして、販売管理装置２は、販売方式情報としてのＣＴＬ信号が「Ｌ」の状態で、商品販売情報としてのＤＡＴＡ１〜４を受信すると、有料販売方式に対応する有料販売方式用の計数記憶モードを選択して、その有料販売方式用の計数記憶モードにて商品販売数記憶処理を実行して、有料販売方式における価格ごとの商品販売数およびトータル商品販売数を計数して記憶する。
【００１５】
また、自動販売機制御部１は、販売方式選択スイッチ５がＯＮされて無料販売方式が選択されると、無料販売方式にて商品を販売するとともに、無料販売方式にて商品をひとつ販売すると、販売方式情報としてのＣＴＬ信号を「Ｈ」にした状態で、商品販売情報としてのＤＡＴＡ１〜４を販売管理装置２に送信する。
そして、販売管理装置２は、販売方式情報としてのＣＴＬ信号が「Ｈ」の状態で、商品販売情報としてのＤＡＴＡ１〜４を受信すると、無料販売方式に対応する無料販売方式用の計数記憶モードを選択して、その無料販売方式用の計数記憶モードにて商品販売数記憶処理を実行して、無料販売方式における価格ごとの商品販売数およびトータル商品販売数を計数して記憶する。
【００１６】
上述の如く、有料販売方式用の計数記憶モードにおける商品販売数記憶処理では、有料販売方式における価格ごとの商品販売数およびトータル商品販売数を計数して記憶し、無料販売方式用の計数記憶モードにおける商品販売数記憶処理では、無料販売方式における価格ごとの商品販売数およびトータル商品販売数を計数して記憶するようにしている。
したがって、いずれの計数記憶モードにおいても、商品販売数記憶処理では、価格ごとの商品販売数およびトータル商品販売数を計数して記憶するようにしているので、以下、商品販売数記憶処理について説明を加えるが、価格ごとの商品販売数およびトータル商品販売数を計数して記憶する構成について、具体的に説明を加える。
【００１７】
例えば、１００円が５種類、１２０円が１０種類、１５０円が５種類の合計２０種類の商品を販売している場合では、販売管理装置２が、１００円の商品の商品販売数、１２０円の商品の商品販売数、１５０円の商品の商品販売数、および、トータル商品販売数をメモリー４に記憶している。
そして、自動販売機制御部１は、例えば、１００円の商品をひとつ販売すると、１００円の商品販売数およびトータル商品販売数をひとつ加算するように商品販売情報としてのＤＡＴＡ１〜４を販売管理装置２に送信する。
販売管理装置２は、商品販売情報としてのＤＡＴＡ１〜４を受信すると、商品販売数記憶処理の実行により、１００円の商品の商品販売数および自動販売機のトータル商品販売数をひとつ加算するように、メモリー４に記憶されているデータを更新して、その更新したデータをメモリー４に記憶させる。
【００１８】
また、自動販売機制御部１が、１２０円の商品または１５０円の商品を販売したときも、１００円の商品を販売したときと同様に、販売管理装置２は、１２０円または１５０円の商品の商品販売数およびトータル商品販売数をひとつ加算するようにメモリー４に記憶されているデータを更新し、その更新されたデータをメモリー４に記憶させる。
このようにして、販売管理装置２は、有料販売方式における１００円、１２０円、１５０円の価格ごとの商品販売数とトータル商品販売数を計数して記憶させるとともに、無料販売方式における１００円、１２０円、１５０円の価格ごとの商品販売数とトータル商品販売数を計数して記憶させるように構成されている。
【００１９】
前記販売管理装置２には、図２に示すように、表示部６が備えられており、有料販売方式における価格ごとの商品販売数およびトータル商品販売数や、無料販売方式における価格ごとの商品販売数およびトータル商品販売数のうち、トータルスイッチ７やＰ１〜Ｐ７の各スイッチを操作することにより、選択された商品販売数を表示部６に表示するように構成されている。
すなわち、販売管理装置２は、記憶されている商品販売数を表示部６に表示する表示処理を実行するように構成され、かつ、複数種の販売方式の夫々に対応する複数の表示モードを備えて、表示用の販売方式選択手段としてのトータルスイッチ７にて選択されている販売方式に対応する表示モードを選択して、選択した表示モードにて表示処理を実行するように構成されている。
【００２０】
説明を加えると、販売管理装置２に電源を投入すると、自動的に有料販売方式が選択されて、有料販売方式用の表示モードが選択されて表示処理が実行されることになり、トータルＬＥＤ８が点灯して、有料販売方式でのトータル商品販売数が表示部６に表示される。
そして、トータルＬＥＤ８が点灯している状態において、トータルスイッチ７を設定時間（例えば、２秒）以上押すことにより、無料販売方式が選択されると、無料販売方式用の表示モードが選択されて表示処理が実行されることになり、トータルＬＥＤ８が点滅して、無料販売方式でのトータル商品販売数が表示部６に表示される。
また、トータルＬＥＤ８が点滅している状態で、トータルスイッチ７を設定時間（例えば、２秒）以上押すことにより、有料販売方式が選択されると、有料販売方式用の表示モードが選択されて表示処理が実行される。
【００２１】
このようにして、販売管理装置２は、表示処理において、図３のフローチャートに示すように、トータルスイッチ７が設定時間（例えば、２秒）以上押されると、有料販売方式用の表示モードから無料販売方式用の表示モードへ、または、無料販売方式用の表示モードから有料販売方式用の表示モードへの表示モード変更処理を行うようにしている。
【００２２】
そして、有料販売方式用の表示モードが選択されて、トータルＬＥＤ８が点灯している状態では、Ｐ１〜Ｐ７のいずれかのスイッチを押すと、そのスイッチに対応付けられた価格の有料販売方式での商品販売数が表示部６に表示される。
例えば、Ｐ１スイッチは１００円という価格が対応付けられており、Ｐ１スイッチを押すと、Ｐ１のＬＥＤが点灯して、有料販売方式での１００円の商品販売数が表示部６に表示される。
また、無料販売方式用の表示モードが選択されて、トータルＬＥＤ８が点滅している状態でも、トータルＬＥＤ８が点灯している状態と同様に、Ｐ１〜Ｐ７のいずれかのスイッチを押すと、そのスイッチに対応付けられた価格の無料販売方式での商品販売数が表示部６に表示される。
【００２３】
前記販売管理装置２は、商品販売数記憶処理を適正に行える適正状態であるか適正に行えない異常状態であるかを判別する異常判別処理を定期的に実行するように構成されている。
すなわち、販売管理装置２は、商品を販売していない待機状態において、異常判別処理を定期的に実行し、その異常判別処理において、自動販売機制御部１との間で通信異常判別用の通信を行うことにより、自動販売機制御部１との通信異常であるか否かを判別するとともに、商品販売数を記憶するメモリー４に適正に商品販売数を記憶させることができるか否かを判別するように構成されている。
そして、販売管理装置２は、自動販売機制御部１との通信異常でなく、かつ、商品販売数を記憶するメモリー４に適正に商品販売数を記憶させることができるときには、商品販売数記憶処理を適正に行える適正状態であると判別し、自動販売機制御部１との通信異常であるか、または、商品販売数を記憶するメモリー４に適正に商品販売数を記憶させることができないときには、商品販売数記憶処理を適正に行えない異常状態であると判別するように構成されている。
【００２４】
前記異常判別処理における自動販売機制御部１との通信異常であるか否かの判別について説明を加えると、自動販売機制御部１が、すべての信号線３における信号を「Ｈ」状態にする通信異常判別用信号を販売管理装置２に通信異常判別用設定時間送信することにより、通信異常判別用の通信を行う。
そして、販売管理装置２は、通信異常判別用設定時間において、通信異常判別用信号に「Ｌ」である信号が存在すると、その信号を通信する信号線３が断線しているとして、自動販売機制御部１との通信異常であると判別するようにしている。
【００２５】
前記異常判別処理における商品販売数を記憶するメモリー４に適正に商品販売数を記憶させることができるか否かの判別について説明を加えると、販売管理装置２は、自動販売機制御部１から通信されてくる商品販売情報を受信すると、ＣＰＵ９内のデータを更新して、その更新されたデータをメモリー４に書き込む。
そして、メモリー４に書き込まれたデータをＣＰＵ９に読み込み、ＣＰＵ９が読み込んだデータと更新したデータとを比較して、それらのデータが異なるときには、メモリー４の書き込み異常であるとして、商品販売数を記憶するメモリー４に適正に商品販売数を記憶させることができないと判別するようにしている。
また、ＣＰＵ９が更新したデータをメモリー４に書き込めないときや、メモリー４に書き込まれたデータをＣＰＵ９に読み込めないときにも、商品販売数を記憶するメモリー４に適正に商品販売数を記憶させることができないと判別するようにしている。
【００２６】
前記販売管理装置２は、異常判別処理の実行により、商品販売数記憶処理を適正に行える適正状態であると判別すると、販売管理装置２から自動販売機制御部１へのＥＲＲ信号を「Ｈ」とし、商品販売数記憶処理を適正に行えない異常状態であると判別すると、販売管理装置２から自動販売機制御部１へのＥＲＲ信号を「Ｌ」として、異常判別処理の実行による異常判別結果情報としてのＥＲＲ信号を自動販売機制御部１に通信するように構成されている。
そして、自動販売機制御部１は、ＥＲＲ信号が「Ｌ」となっていると、商品の販売を停止する販売停止処理などを実行する異常処理を実行するように構成されている。
ちなみに、自動販売機制御部１は、ＥＲＲ信号が「Ｌ」となっていると、販売管理装置２が商品販売数記憶処理を適正に行えない異常状態であることを認識した上で、商品の販売を継続するように構成することも可能である。
また、販売管理装置２は、異常判別処理の実行により異常状態であると判別すると、その異常内容を表示部６に表示するように構成されている。
【００２７】
以下、自動販売機制御部１および販売管理装置２の制御動作についてフローチャートに基づいて説明を加える。
まず、自動販売機制御部１について説明すると、図示はしないが、商品販売要求があると、有料販売方式または無料販売方式のうち、選択された販売方式にて商品販売処理を随時実行するようにしている。
そして、自動販売機制御部１は、商品を販売していない販売待機状態のときには、図４のフローチャートに示すように、まず、すべての信号線３における信号を「Ｈ」状態にする通信異常判別用信号を販売管理装置２に送信する（ステップ１）。
【００２８】
その後、自動販売機制御部１は、販売管理装置２から通信されてくる異常判別結果情報としてのＥＲＲ信号が「Ｌ」であると、販売管理装置２の異常であると判別して、商品の販売を停止する販売停止処理などを実行する異常処理Ａを行う（ステップ２，３）。
また、自動販売機制御部１は、販売管理装置２から通信されてくる異常判別結果情報としてのＥＲＲ信号が「Ｈ」であると、販売管理装置２に異常なしと判別する（ステップ３）。
【００２９】
そして、自動販売機制御部１は、販売管理装置２に異常なしと判別すると、商品が販売されたか否かを判別して、販売なしと判別すると、販売待機状態に戻り（ステップ４）、販売ありと判別すると、販売方式情報としてのＣＴＬ信号および商品販売情報としてのＤＡＴＡ１〜４からなるカウントアップ信号を販売管理装置２に送信したのち、販売待機状態に戻る（ステップ４，５）。
【００３０】
次に、販売管理装置２について説明すると、図５のフローチャートに示すように、商品を販売していない待機状態のときに、自動販売機制御部１から通信されてくる通信異常判別用信号を受信すると、通信異常判別用信号に「Ｌ」である信号が存在するか否かによって、通信異常であるか否かを判別する（ステップ１１）。
そして、販売管理装置２は、通信異常判別用信号に「Ｌ」である信号が存在すると、通信異常であると判別して、販売管理装置２から自動販売機制御部１へのＥＲＲ信号を「Ｌ」とする異常処理Ｂを行う（ステップ１２，１３）。
また、販売管理装置２は、通信異常判別用信号に「Ｌ」である信号が存在しなければ、通信異常なしと判別して、自動販売機制御部１からカウントアップ信号が送信されているか否かによりデータカウントするか否かを判別し、データカウントなしと判別すると、待機状態に戻る（ステップ１２，１４）。
【００３１】
そして、販売管理装置２は、データカウントありと判別すると、販売方式情報としてのＣＴＬ信号に基づいて計数記憶モードを選択して、選択した計数記憶モードにて商品販売数記憶処理を実行して、メモリー４に記憶されているデータを更新する。
すなわち、販売方式情報としてのＣＴＬ信号が「Ｌ」であると、有料販売方式に対応する有料販売方式用の計数記憶モードを選択して、その有料販売方式用の計数記憶モードにて商品販売数記憶処理を実行して、有料販売方式における価格ごとの商品販売数およびトータル商品販売数に相当するデータを更新する（ステップ１５，１６，１８）。
また、販売方式情報としてのＣＴＬ信号が「Ｈ」であると、無料販売方式に対応する無料販売方式用の計数記憶モードを選択して、その無料販売方式用の計数記憶モードにて商品販売数記憶処理を実行して、無料販売方式における価格ごとの商品販売数およびトータル商品販売数に相当するデータを更新する（ステップ１５，１７，１８）。
【００３２】
そして、販売管理装置２は、メモリー４に適正に商品販売数を記憶させることができるか否かを判別して、メモリー書き込み異常か否かを判別し（ステップ１９）、メモリー４に適正に商品販売数を記憶させることができるとして、メモリー書き込み異常なしと判別すると、待機状態に戻り、メモリー４に適正に商品販売数を記憶させることができないとして、メモリー書き込み異常であると判別すると、異常処理Ｂを行う。
【００３３】
〔別実施形態〕
（１）上記実施形態では、販売管理装置２が、記憶されている商品販売数を表示部６に表示する表示処理を実行するように構成されているが、例えば、販売管理装置２が、表示処理として、記憶されている商品販売数を表示用の装置に通信して、表示用の装置に商品販売数を表示するように構成しても実行することも可能であり、表示処理の内容については適宜変更が可能である。
【００３４】
（２）上記実施形態では、自動販売機制御部１が、有料販売方式と無料販売方式との２種類の販売方式を備えて構成されているが、販売方式の種類数については、３種類以上でもよい。
【００３５】
（３）上記実施形態では、販売管理装置２が、商品販売数記憶処理を適正に行える適正状態であるか適正に行えない異常状態であるかを判別する異常判別処理を実行するように構成しているが、販売管理装置２は、異常判別処理を行わないように構成して実施することも可能である。
【００３６】
（４）上記実施形態では、商品販売数記憶処理において、計数して記憶する商品販売数の具体例として、価格ごとの商品販売数およびトータル商品販売数を挙げているが、例えば、商品として飲料を販売するときには、お茶に類する商品販売数、コーヒー類の商品販売数、ジュース類の商品販売数など、種類ごとの商品販売数も、計数して記憶するようにしてもよく、商品販売数の具体例については適宜変更が可能である。
【００３７】
（５）上記実施形態では、本発明にかかる自動販売機として、価格の異なる複数種の商品を販売するものを例示したが、単一の商品を販売する自動販売機など各種の自動販売機が適応可能である。
【図面の簡単な説明】
【図１】自動販売機制御部と販売管理装置を示すブロック図
【図２】販売管理装置を示す図
【図３】販売管理装置の表示処理における制御動作を示すフローチャート
【図４】自動販売機制御部の制御動作を示すフローチャート
【図５】販売管理装置の制御動作を示すフローチャート
【符号の説明】
１　　　　　　　自動販売機制御部
２　　　　　　　販売管理部
６　　　　　　　表示部
７　　　　　　　表示用の販売方式選択手段
【図１】
2004054747.tif 000003
【図２】
2004054747.tif 000004
【図３】
2004054747.tif 000005
【図４】
2004054747.tif 000006
【図５】
2004054747.tif 000007